【手続補正書】
【提出日】平成18年4月26日(2006.4.26)
【手続補正１】
【補正対象書類名】明細書
【補正対象項目名】発明の名称
【補正方法】変更
【補正の内容】
【発明の名称】情報処理装置、情報処理方法及び記憶媒体
【手続補正２】
【補正対象書類名】明細書
【補正対象項目名】特許請求の範囲
【補正方法】変更
【補正の内容】
【特許請求の範囲】
【請求項１】  検索された情報を表示する情報処理装置であって、
検索された情報が完全一致であるか否かに応じて、完全一致となる情報を表示させる完全一致領域の内側あるいは外側に情報を表示させる検索結果表示制御手段を有することを特徴とする情報処理装置。
【請求項２】  さらに、検索条件を入力する検索条件入力手段と、
検索対象となる個々の情報を格納した情報記憶手段と、
前記情報記憶手段に格納された個々の情報と、前記検索条件入力手段から入力された検索条件とを比較することにより、検索条件を満たす度合いである一致度を算出する一致度算出手段とを有し、
前記検索結果表示制御手段は、完全一致となる情報を前記完全一致表示領域内に表示させると共に、完全一致領域からの完全一致でない情報の表示位置を当該情報の一致度に基づき決定して完全一致領域の外側に表示させることを特徴とする請求項１記載の情報処理装置。
【請求項３】  前記検索結果表示制御手段は、完全一致となる情報の個数に基づいて大きさが決定された完全一致領域を表示させることを特徴とする請求項１又は２記載の情報処理装置。
【請求項４】  前記検索結果表示制御手段は、完全一致領域内において互いに重なり合わないように完全一致となる情報の表示位置を制御することを特徴とする請求項３記載の情報処理装置。
【請求項５】  前記検索結果表示制御手段は、完全一致領域を円形に表示させ、
前記完全一致領域を中心として、前記検索条件を満たす情報を放射状に表示させることを特徴とする請求項４記載の情報処理装置。
【請求項６】  前記検索結果表示制御手段は、前記完全一致領域を他の領域と識別可能に表示させることを特徴とする請求項１又は２記載の情報処理装置。
【請求項７】  前記検索結果表示制御手段は、一致度の指標として、所定位置を中心とする同心円の目盛りを表示させることを特徴とする請求項５記載の情報処理装置。
【請求項８】  検索された情報を表示する情報処理装置の情報処理方法であって、
検索された情報が完全一致であるか否かに応じて、完全一致となる情報を表示させる完全一致領域の内側あるいは外側に情報を前記処理ユニットが表示させる検索結果表示制御ステップを有することを特徴とする情報処理方法。
【請求項９】  さらに、検索対象となる個々の情報を記憶する情報記憶手段に格納された個々の情報と、入力手段によって入力された検索条件とを比較することにより、検索条件を満たす度合いである一致度を前記処理ユニットが算出する一致度算出ステップを有し、
前記検索結果表示制御ステップにおいて、前記処理ユニットは、完全一致となる情報を前記完全一致表示領域内に表示させると共に、完全一致領域からの完全一致でない情報の表示位置を当該情報の一致度に基づき決定して完全一致領域の外側に表示させることを特徴とする請求項８記載の情報処理方法。
【請求項１０】  前記検索結果表示制御ステップにおいて、前記処理ユニットは、完全一致となる情報の個数に基づいて決定された大きさの完全一致領域を表示させることを特徴とする請求項８又は９記載の情報処理方法。
【請求項１１】  前記検索結果表示制御ステップにおいて、完全一致となる情報が完全一致領域内において互いに重なり合わないように表示位置を前記処理ユニットが制御することを特徴とする請求項１０記載の情報処理方法。
【請求項１２】  前記完全一致領域は円形であり、
前記検索結果表示制御ステップにおいて、前記完全一致領域を中心として前記検索条件を満たす情報を放射状に前記処理ユニットが表示させることを特徴とする請求項１１記載の情報処理方法。
【請求項１３】  前記検索結果表示制御ステップにおいて、前記完全一致領域を他の領域と識別可能に前記処理ユニットが表示させることを特徴とする請求項８又は９記載の情報処理方法。
【請求項１４】  前記検索結果表示制御ステップにおいて、一致度の指標として、所定位置を中心とする同心円の目盛りを前記処理ユニットが表示させることを特徴とする請求項１２記載の情報処理方法。
【請求項１５】  請求項８ないし請求項１４のうちいずれか１項に記載の情報処理方法を実行させるためのプログラムを記憶したコンピュータ読み出し可能な記憶媒体。
【手続補正３】
【補正対象書類名】明細書
【補正対象項目名】０００１
【補正方法】変更
【補正の内容】
【０００１】
【発明の属する技術分野】
本発明は、情報処理装置、情報処理方法及び記憶媒体に係り、更に詳しくは、コンピュータ等において情報検索を行い表示する場合に好適な情報処理装置、情報処理方法及び記憶媒体に関する。
【手続補正４】
【補正対象書類名】明細書
【補正対象項目名】０００４
【補正方法】変更
【補正の内容】
【０００４】
本発明は、上述した点に鑑みなされたものであり、検索結果として最も見たい情報を見やすくすることができるようにした情報処理装置、情報処理方法及び記憶媒体を提供することを第一の目的とする。
【手続補正５】
【補正対象書類名】明細書
【補正対象項目名】０００５
【補正方法】変更
【補正の内容】
【０００５】
また、本発明は、上述した点に鑑みなされたものであり、最も見たい検索結果の情報が他の情報に隠れることなく全て見られるようにした情報処理装置、情報処理方法及び記憶媒体を提供することを第二の目的とする。
【手続補正６】
【補正対象書類名】明細書
【補正対象項目名】０００６
【補正方法】変更
【補正の内容】
【０００６】
また、本発明は、上述した点に鑑みなされたものであり、一致度の高い情報が互いに重なり合って見えにくくなることを避けることができるようにした情報処理装置、情報処理方法及び記憶媒体を提供することを第三の目的とする。
【手続補正７】
【補正対象書類名】明細書
【補正対象項目名】０００７
【補正方法】変更
【補正の内容】
【０００７】
また、本発明は、上述した点に鑑みなされたものであり、完全一致であるかどうかが一目で分かるようにした情報処理装置、情報処理方法及び記憶媒体を提供することを第四の目的とする。
【手続補正８】
【補正対象書類名】明細書
【補正対象項目名】０００８
【補正方法】変更
【補正の内容】
【０００８】
【課題を解決するための手段】
上記目的を達成するために、本発明は、検索された情報を表示する情報処理装置であって、検索された情報が完全一致であるか否かに応じて、完全一致となる情報を表示させる完全一致領域の内側あるいは外側に情報を表示させる検索結果表示制御手段を有することを特徴とする。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】変更
【補正の内容】
【００１７】
上記目的を達成するために、本発明は、検索された情報を表示する情報処理装置の情報処理方法であって、検索された情報が完全一致であるか否かに応じて、完全一致となる情報を表示させる完全一致領域の内側あるいは外側に情報を前記処理ユニットが表示させる検索結果表示制御ステップを有することを特徴とする。
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】変更
【補正の内容】
【００２６】
上記目的を達成するために、本発明は、請求項８ないし請求項１４のうちいずれか１項に記載の情報処理方法を実行させるためのプログラムを記憶したコンピュータ読み出し可能な記憶媒体であることを特徴とする。
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】０１４３
【補正方法】変更
【補正の内容】
【０１４３】
また、上記実施形態では、図７に示すように、一致領域を検索結果表示領域の中心を中心とする円の領域として、各目盛りは一致領域との同心円で表示し、検索結果の各画像は、類似度を一致領域からの距離に対応させて、検索結果表示領域の中心から放射状に配置されるように表示していた。しかし、本発明は、上記のような表示方法に限定されるものではない。例えば図３７に示すように、一致領域を３００１で示す検索結果表示領域の左側の矩形領域とし、各目盛りを３００２、３００３で示す線のように左辺との平行線とし、各画像から一致領域への垂線の直線の距離を各画像の類似度に対応させて表示するようにしてもよい。この場合、配置角度データ６０８のように、各画像の配置位置を一致領域の中心に対する角度で指定するのではなく、代わりに、検索結果表示領域の上辺からの距離で指定することにより、上記実施形態で示した手順と全く同じ手順で検索結果の画像を所望の位置に表示することができる。また、検索結果をこのように表示する場合でも、図３７に示すように、上記実施形態と同じようにして検索結果の画像をグループ化して表示することが可能である。
【手続補正３６】
【補正対象書類名】明細書
【補正対象項目名】０１４９
【補正方法】変更
【補正の内容】
【０１４９】
【発明の効果】
以上説明したように、本発明によれば、検索された情報が完全一致であるか否かに応じて、完全一致となる情報を表示させる完全一致領域の内側あるいは外側に情報を表示させるので、即ち、検索条件と完全一致する情報を表示する領域を、完全一致領域として他の情報を表示する領域と区別し、完全一致する情報は完全一致領域に表示するので、検索結果として最も見たい情報を見やすくすることができるという効果がある。また、完全一致領域の外側に一致度が高い情報ほど完全一致領域の近くに表示するので、一致度の高い情報が互いに重なり合って見えにくくなることを避けることができるようになるという効果がある。
【手続補正３７】
【補正対象書類名】明細書
【補正対象項目名】０１５０
【補正方法】変更
【補正の内容】
【０１５０】
また、本発明によれば、完全一致領域に表示する情報は、互いに重なり合わないように表示するので、最も見たい検索結果の情報が他の情報に隠れることなく全て見られるようにすることができるという効果がある。
【手続補正３８】
【補正対象書類名】明細書
【補正対象項目名】０１５１
【補正方法】変更
【補正の内容】
【０１５１】
また、本発明によれば、完全一致領域を他の領域と区別して表示するために、完全一致であるのかどうかが一目で分かるようになるという効果がある。
【手続補正３９】
【補正対象書類名】明細書
【補正対象項目名】０１５２
【補正方法】削除
【補正の内容】
【手続補正４０】
【補正対象書類名】明細書
【補正対象項目名】０１５３
【補正方法】削除
【補正の内容】
【手続補正４１】
【補正対象書類名】明細書
【補正対象項目名】０１５４
【補正方法】削除
【補正の内容】
【手続補正４２】
【補正対象書類名】明細書
【補正対象項目名】０１５５
【補正方法】削除
【補正の内容】
【手続補正４３】
【補正対象書類名】明細書
【補正対象項目名】０１５６
【補正方法】削除
【補正の内容】
【手続補正４４】
【補正対象書類名】明細書
【補正対象項目名】０１５７
【補正方法】削除
【補正の内容】
【手続補正４５】
【補正対象書類名】明細書
【補正対象項目名】０１５８
【補正方法】削除
【補正の内容】
【手続補正４６】
【補正対象書類名】明細書
【補正対象項目名】０１５９
【補正方法】削除
【補正の内容】
【手続補正４７】
【補正対象書類名】明細書
【補正対象項目名】０１６０
【補正方法】削除
【補正の内容】